(57)【要約】【課題】給湯システムにおける複数の給湯ユニットそれぞれの給湯能力を、給湯用冷媒の流入温度が異なる場合でもバランスよく制御することを課題とする。【解決手段】空調給湯システム１００（給湯システム）は、室外ユニット１と、２つの室内ユニット２と、２つの給湯ユニット３（３Ａ，３Ｂ）と、２つの床暖房システム４を有している。マイコン３５は、２つの給湯ユニット３Ａ，３Ｂのうち、給湯用冷媒の流入温度が低いほうについて、給湯用冷媒の流入量を減少させる。【選択図】図１
2016211828.tif 000002
【特許請求の範囲】
【請求項１】
第１冷媒を循環供給する室外ユニットと、熱交換器によって前記第１冷媒と熱交換した第２冷媒を配下の熱利用システムに循環供給する互いに独立した複数の給湯ユニットと、制御装置と、を備える給湯システムであって、
前記制御装置は、
前記複数の給湯ユニットそれぞれへの前記第２冷媒の流入量を調整する第２冷媒流入量調整手段を備え、
前記第２冷媒流入量調整手段は、
前記複数の給湯ユニットのうち、前記第２冷媒の流入温度が低いものについて、前記第２冷媒の流入量を減少させる
ことを特徴とする給湯システム。
【請求項２】
前記複数の給湯ユニットは、第１給湯ユニットと、第２給湯ユニットと、であり、
前記第２冷媒流入量調整手段は、
前記第１給湯ユニットへの前記第２冷媒の流入温度と設定温度に基づいて第１必要熱交換量を計算し、
前記第２給湯ユニットへの前記第２冷媒の流入温度と設定温度に基づいて第２必要熱交換量を計算し、
前記第１給湯ユニットへの前記第２冷媒の流入温度が前記第２給湯ユニットへの前記第２冷媒の流入温度よりも高く、かつ、前記第１必要熱交換量が前記第２必要熱交換量よりも所定値以上大きい場合、前記第２給湯ユニットへの前記第２冷媒の流入量を減少させ、
前記第２給湯ユニットへの前記第２冷媒の流入温度が前記第１給湯ユニットへの前記第２冷媒の流入温度よりも高く、かつ、前記第２必要熱交換量が前記第１必要熱交換量よりも所定値以上大きい場合、前記第１給湯ユニットへの前記第２冷媒の流入量を減少させる
ことを特徴とする請求項１に記載の給湯システム。
【請求項３】
前記第２冷媒流入量調整手段は、
前記第１給湯ユニットと前記第２給湯ユニットのうち、前記第２冷媒の流入量を減少させるほうについて、設けられた冷媒ポンプを間欠運転させることにより前記第２冷媒の流入量を減少させる
ことを特徴とする請求項２に記載の給湯システム。
【請求項４】
前記第２冷媒流入量調整手段は、
前記第１給湯ユニットと前記第２給湯ユニットのうち、前記第２冷媒の流入量を減少させるほうについて、設けられた冷媒ポンプの回転速度を減少させることにより前記第２冷媒の流入量を減少させる
ことを特徴とする請求項２に記載の給湯システム。
【請求項５】
前記第２冷媒流入量調整手段は、
前記第１給湯ユニットと前記第２給湯ユニットのうち、前記第２冷媒の流入量を減少させるほうについて、設けられた流量調整弁の開度を減少させることにより前記第２冷媒の流入量を減少させる
ことを特徴とする請求項２に記載の給湯システム。
【請求項６】
前記第２冷媒流入量調整手段は、
前記第１給湯ユニットへの前記第２冷媒の流入温度と前記第２給湯ユニットへの前記第２冷媒の流入温度とが等しくなった場合、および、
前記第１必要熱交換量と前記第２必要熱交換量の差が前記所定値以上大きい状態ではなくなった場合、のうちの少なくとも１つ以上の条件を満たしたとき、
前記第１給湯ユニットと前記第２給湯ユニットそれぞれへの前記第２冷媒の流入量について、流入量を減少させる以前の制御に戻る
ことを特徴とする請求項２から請求項５のいずれか一項に記載の給湯システム。
【発明の詳細な説明】
【技術分野】
【０００１】
本発明は、複数の給湯ユニットを有する給湯システムに関する。
【背景技術】
【０００２】
従来から、１つ（１台もしくは１セット）のヒートポンプ式室外ユニットに、室内ユニットや給湯ユニットを接続し、必要に応じて空調運転を実施したり、給湯運転を実施したり、空調運転と給湯運転を同時に実施したりするシステムが知られている（例えば、特許文献１参照）。このようなシステムは、暖房空調を主体に導入されることが多く、給湯運転にて高温にした温水を床暖房システムやコンベクター（室内暖房用熱交換器）等に供給し、かつ空調運転を実施することで、より快適な暖房を実施している。
【先行技術文献】
【特許文献】
【０００３】
【特許文献１】特開２００５−１４７５２７号公報
【発明の概要】
【発明が解決しようとする課題】
【０００４】
１つのヒートポンプ式室外ユニットに対し、複数の温水利用システム（例えば床暖房システムやコンベクター等）を接続する方法として、以下に示す２通りのシステムが考えられる。
【０００５】
一つは、図３のように、１つの室外ユニット１に対して、室内ユニット２のほかに、１つの給湯ユニット３を設け、その給湯ユニット３の後流側（室外ユニット１と逆側）を分岐させて複数の床暖房システム４（温水利用システムの例）を接続させるシステムである。なお、実線矢印は暖房と給湯の同時運転における冷媒（室外ユニット１を通る冷媒）の流れる方向を示し、破線矢印は水の流れる方向を示している（図４も同様）。複数の床暖房システム４の使用者が同一であれば、コスト低減などの観点から、このようなシステムを使用することが多い。
【０００６】
もう一つは、図４のように、１つの室外ユニット１に対して、室内ユニット２のほかに、複数の給湯ユニット３を設け、それぞれの給湯ユニット３に床暖房システム４を接続させるシステムである。例えば、テナントビルなどにおいて別々の利用者がそれぞれの床暖房システム４を使用するような場合は、それぞれの床暖房システム４の使用料金計算などの観点から、このようなシステムを使用することになる。
【０００７】
図４のようなシステムにおいて、複数の給湯ユニット３が同時に運転されている場合、複数の給湯ユニット３それぞれについて、水の設定温度や流入温度は異なるのが普通である。水の流入温度が異なると、冷媒（ガス冷媒）の多くは水の流入温度の低い給湯ユニット３の熱交換器へ流れ、水の流入温度の高い給湯ユニット３の熱交換器へは冷媒（ガス冷媒）が殆ど流れなくなり、水の流入温度の高い給湯ユニット３の給湯能力が低下してしまうという問題がある。
【０００８】
そこで、本発明は、複数の給湯ユニットを有する給湯システムにおいて、複数の給湯ユニットが同時に運転された際に、複数の給湯ユニットそれぞれの給湯用冷媒（水、ブラインなど）の流入温度が異なる場合でも、複数の給湯ユニットそれぞれの給湯能力をバランスよく制御することを課題とする。
【課題を解決するための手段】
【０００９】
上記課題を解決するために、本発明は、第１冷媒を循環供給する室外ユニットと、熱交換器によって前記第１冷媒と熱交換した第２冷媒を配下の熱利用システムに循環供給する互いに独立した複数の給湯ユニットと、制御装置と、を備える給湯システムであって、前記制御装置は、前記複数の給湯ユニットそれぞれへの前記第２冷媒の流入量を調整する第２冷媒流入量調整手段を備え、前記第２冷媒流入量調整手段は、前記複数の給湯ユニットのうち、前記第２冷媒の流入温度が低いものについて、前記第２冷媒の流入量を減少させることを特徴とする。その他の手段については後記する。
【発明の効果】
【００１０】
本発明によれば、複数の給湯ユニットを有する給湯システムにおいて、複数の給湯ユニットが同時に運転された際に、複数の給湯ユニットそれぞれの給湯用冷媒の流入温度が異なる場合でも、複数の給湯ユニットそれぞれの給湯能力をバランスよく制御することができる。
【図面の簡単な説明】
【００１１】
【図１】本発明の実施形態の空調給湯システムのブロック図である。
【図２】複数の給湯ユニットの運転制御の流れを示すフローチャートである。
【図３】従来の、１つの給湯ユニットに２つの床暖房システムを接続した例の概要図である。
【図４】従来の、２つの給湯ユニットそれぞれに１つずつの床暖房システムを接続した例の概要図である。
【発明を実施するための形態】
【００１２】
以下、本発明を実施するための形態（実施形態）について、図面を参照しながら説明する。
図１に示すように、本実施形態の空調給湯システム１００（給湯システム）は、室外ユニット１と、２つの室内ユニット２と、２つの給湯ユニット３（３Ａ，３Ｂ）と、２つの床暖房システム４を有している。室外ユニット１と室内ユニット２は、ガス配管３１および液配管３２を介して互いに接続されている。また、室外ユニット１と給湯ユニット３は、吐出ガス配管３０および液配管３２を介して互いに接続されている。このように、室外ユニット１、室内ユニット２、および給湯ユニット３は、互いに接続されて冷媒サイクルを形成している。なお、本実施形態における「冷媒」、「水」（給湯用冷媒）は、それぞれ、「第１冷媒」、「第２冷媒」に対応する。
【００１３】
室外ユニット１は、圧縮機５と、アキュームレータ６と、四方弁７と、室外熱交換器８と、室外ファン９と、室外膨張弁１０と、第１電磁弁１１と、第２電磁弁１２と、室外吸込温度センサ１３と、吐出ガス阻止弁１４と、ガス阻止弁１５と、液阻止弁１６と、マイクロコンピュータ３５（以下、「マイコン３５」と称する。）（制御装置、第２冷媒流入量調整手段）とを備え、冷媒を循環供給する。
【００１４】
圧縮機５は、冷媒を圧縮して配管に吐出する。アキュームレータ６は、気液混合状態冷媒から液状の冷媒を貯留し、ガス状の冷媒を圧縮機５に送り出す。四方弁７を切り替えることで、冷媒の流れが変化し、冷房運転と暖房運転が切り替わる。室外熱交換器８は、冷媒と外気の間で熱交換させる。冷房運転時には、室外熱交換器８は凝縮器となり、暖房運転時には、室外熱交換器８は蒸発器となる。室外ファン９は、熱交換を行うための外気を室外熱交換器８に供給する。室外膨張弁１０は、暖房時には、冷媒を減圧して低温にする。
【００１５】
第１電磁弁１１および第２電磁弁１２は、冷房運転と暖房運転の切り替え時に、冷媒の流れを変えるために開閉される。室外吸込温度センサ１３は、室外ファン９に吸込まれる空気の温度を測定する。吐出ガス阻止弁１４は、室外ユニット１と吐出ガス配管３０の間の流路を開閉する。吐出ガス阻止弁１４を閉めると、室外ユニット１と吐出ガス配管３０の間のガス冷媒の流通が阻止される。ガス阻止弁１５は、室外ユニット１とガス配管３１の間の流路を開閉する。ガス阻止弁１５を閉めると、室外ユニット１とガス配管３１の間のガス冷媒の流通が阻止される。液阻止弁１６は、室外ユニット１と液配管３２の間の流路を開閉する。液阻止弁１６を閉めると、室外ユニット１と液配管３２の液冷媒の流通が阻止される。マイコン３５は、例えばマイクロプロセッサおよびメモリなどを備えたコンピュータ装置として構成されており、前述の圧縮機５、室外ファン９等のアクチュエータの制御を実施する。
【００１６】
室内ユニット２は、図１では２つであるが、これに限定されず、１つや３つ以上であってもよい。室内ユニット２は、室内熱交換器１９と、室内ファン１７と、室内膨張弁１８と、室内ユニット吸込温度センサ２０と、室内ユニット吹出温度センサ２１とを備える。
【００１７】
室内熱交換器１９は、冷媒と室内空気の間で熱交換させる。冷房運転時には、室内熱交換器１９は蒸発器となり、暖房運転時には室内熱交換器１９は凝縮器となる。室内ファン１７は、熱交換を行うための室内空気を室内熱交換器１９に供給する。室内膨張弁１８は、その絞り量を変化させることにより室内熱交換器１９を流れる冷媒の流量を変化させることが可能である。室内ユニット吸込温度センサ２０は、室内ユニット２に吸込まれた空気の温度を検出し、図示せぬ信号線を介して電気信号をマイコン３５に出力する。室内ユニット吹出温度センサ２１は、熱交換され室内ユニット２から吹出される空気の温度を検出し、図示せぬ信号線を介して電気信号をマイコン３５に出力する。
【００１８】
給湯ユニット３は、給湯ユニット熱交換器２３と、給湯ユニット膨張弁２２と、給湯ユニット電気ヒータ２４と、水ポンプ２５（冷媒ポンプ）と、出口水温センサ２６と、入口水温センサ２７とを備える。また、給湯ユニット３として、給湯ユニット熱交換器２３によって冷媒と熱交換した水を配下の床暖房システム４（熱利用システム）に循環供給する互いに独立した２つの給湯ユニット３Ａ（第１給湯ユニット）、３Ｂ（第２給湯ユニット）が設けられている。なお、図１では、給湯ユニット３Ａにおける各構成には符号の末尾に「Ａ」を付与し、給湯ユニット３Ｂにおける各構成には符号の末尾に「Ｂ」を付与しているが、以下の説明では、給湯ユニット３Ａ，３Ｂを区別する必要がない場合は各符号の末尾の「Ａ」、「Ｂ」の記載を省略する。
【００１９】
給湯ユニット熱交換器２３は、冷媒と水の間で熱交換させる。給湯ユニット膨張弁２２は、その絞り量（開度）を変化させることにより給湯ユニット熱交換器２３を流れる冷媒の流量を変化させることが可能である。給湯ユニット電気ヒータ２４は、給湯ユニット熱交換器２３を通過した水配管３４内の水をさらに加熱する。水ポンプ２５は、通常、一定流量の水を定速で流すために用いられるが、間欠運転や回転速度減少によって水の流量を減少させることもできる。
【００２０】
出口水温センサ２６は、給湯ユニット３から出る直前の水の温度を検出し、図示せぬ信号線を介して電気信号をマイコン３５に出力する。入口水温センサ２７は、給湯ユニット３に入ってきた水の温度（流入温度）を検出し、図示せぬ信号線を介して電気信号をマイコン３５に出力する。
【００２１】
給湯ユニット３から出た温水は、水配管３４を通って床暖房システム４に供給され、床暖房システム４を通過した温水は、水配管３４を通って給湯ユニット３に戻る。
床暖房システム４は、床暖房パイプ２８と、床暖房温度センサ２９と、室温センサ３３とを備える。床暖房パイプ２８は、その内部を給湯ユニット３から供給される温水が通過し、床暖房パイプ２８が敷設された室内を暖める。床暖房温度センサ２９は、床の温度を検出し、図示せぬ信号線を介して電気信号をマイコン３５に出力する。室温センサ３３は、床暖房パイプ２８が敷設された室内の温度を検出し、図示せぬ信号線を介して電気信号をマイコン３５に出力する。
【００２２】
次に、空調給湯システム１００の運転動作について説明する。なお、空調給湯システム１００は、冷房運転、暖房運転が可能であるが、床暖房システム４が使用される暖房運転について以下説明する。また、図１に示す実線矢印は、暖房と給湯の同時運転における冷媒の流れる方向を示し、破線矢印は、水の流れる方向を示している。
【００２３】
圧縮機５から吐出されたガス冷媒は、四方弁７およびガス阻止弁１５を通過して、室外ユニット１の外に出て、ガス配管３１を通り、室内ユニット２へ供給される。これと同時に、圧縮機５から吐出されたガス冷媒は、吐出ガス阻止弁１４を通過して、室外ユニット１の外へ出て、吐出ガス配管３０を通り、給湯ユニット３へ供給される。
【００２４】
室内ユニット２に供給されたガス冷媒は、室内熱交換器１９を通過するときに、室内ファン１７から供給された室内空気との間で熱交換が行われる。具体的には、ガス冷媒と室温の空気との間で熱交換が行われるが、ガス冷媒の温度および室内熱交換器１９の温度は、室温まで下がることはなく、ガス冷媒は完全に凝縮しない。そして、室内熱交換器１９を通過した冷媒は、室内膨張弁１８を通過し、室内ユニット２から出て、液配管３２を通って液阻止弁１６から室外ユニット１へ戻る。
【００２５】
一方、給湯ユニット３に供給された冷媒は、給湯ユニット熱交換器２３を通り、水配管３４から供給される水と熱交換が行われ凝縮する。具体的には、ガス冷媒と水との間で熱交換が行われるので、熱交換効率が非常によく、熱交換によりガス冷媒はその温度が水温近くまで下がり完全に凝縮して液冷媒となる。また、給湯ユニット熱交換器２３も水温近くまで低下する。そして、凝縮された液冷媒は、給湯ユニット膨張弁２２を通過し、給湯ユニット３から出て、液配管３２を通って液阻止弁１６から室外ユニット１へ戻る。
【００２６】
このように、圧縮機５から吐出されたガス冷媒は、室内熱交換器１９および給湯ユニット熱交換器２３に供給される。そして、ガス冷媒は、温度の低い方の熱交換器に流れやすいため、熱交換器の温度の低い方のユニットの能力が出やすくなる。一般的には、給湯ユニット熱交換器２３の方が室内熱交換器１９よりも温度が低くなるため、より多くの冷媒が室内熱交換器１９よりも低温である給湯ユニット熱交換器２３に流れる。これにより、給湯ユニット３の給湯能力が出やすくなり、室内ユニット２の暖房能力が出にくくなる。特に、給湯ユニット熱交換器２３に供給される水温が低い場合にはこの傾向がより顕著になる。そして、冷媒サイクルの吐出圧力は給湯ユニット熱交換器２３の出口水温の飽和圧力に近くなり、室内ユニット２の吹出空気温度もこの温度に近くなる。
【００２７】
これは、２つの給湯ユニット３同士についても同様である。例えば、１つの給湯ユニット３のみが運転し、水温が一定温度（例えば３５℃）となっているときに、もう１つの給湯ユニット３が停止状態から運転を開始した場合、低い水温（例えば１０℃）からの運転となるため、冷媒サイクルの吐出圧力は運転を後に開始した給湯ユニット３の出口水温の飽和圧力に近くなり、先に運転していた給湯ユニット３の給湯能力が低下することになる。
【００２８】
そこで、本実施形態では、２つの給湯ユニット３が接続された空調給湯システム１００において、２つの給湯ユニット３が同時に運転され、かつ、各々の給湯ユニット３が必要とする熱交換量が異なる場合において、各々の給湯ユニット３に適切な熱交換量を分配できるように、マイコン３５によって、各々の給湯ユニット３を通過する水量を調整する。これにより、１つのヒートポンプ式の室外ユニット１に対し、２つの給湯ユニット３が同時に運転された際に、各々の給湯ユニット３が必要とする熱交換量が異なる場合においても、各々の給湯ユニット３に適切な熱交換量を分配することができる。
【００２９】
以下、図２を参照して（図１も適宜参照）、２つの給湯ユニット３を同時に運転する場合の運転制御方法について具体的に説明する。なお、図２に記載されている数値は一例であり、実際には空調給湯システム１００が設置されている地域等の使用条件により変化させることが可能である。
【００３０】
まず、給湯ユニット３が２つとも運転していることをマイコン３５が認識した段階で、マイコン３５はこの運転制御を開始する。次に、マイコン３５に常時取り込まれている入口水温センサ２７が検知した水温Ｔｉ（以下、Ｔｉ）と各々の給湯ユニット３毎に設定されている設定温度Ｔｓ（以下、Ｔｓ）から、設定と実測の温度差ΔＴ（以下、ΔＴ）を各々の給湯ユニット３について計算して求める（ステップＳ１）。つまり、ΔＴ＝Ｔｓ−Ｔｉである。なお、ΔＴの計算は、この運転制御中、常に行われている。以下、動作主体がマイコン３５である旨の記載は省略する。
【００３１】
つぎに、給湯ユニット３Ａの入口水温ＴｉＡ（流入水温）から給湯ユニット３Ｂの入口水温ＴｉＢを引いた入口水温差ΔＴｉを計算する（ステップＳ２）。ΔＴｉ＝０℃の場合は、通常運転を行い（ステップＳ４）、ステップＳ７に進む。
【００３２】
また、ΔＴｉ＞０℃（ステップＳ２で「ΔＴｉ＞０」）、すなわちＴｉＢの水温がＴｉＡの水温より低く、給湯ユニット３Ａよりも給湯ユニット３Ｂの方にガス冷媒の多くが移動すると判断される場合、ステップＳ１で求めた温度差ΔＴをもとにΔＴＡ−ΔＴＢを求める。なお、「ΔＴＡ」（第１必要熱交換量）は給湯ユニット３Ａの「ΔＴ」で、「ΔＴＢ」（第２必要熱交換量）は給湯ユニット３Ｂの「ΔＴ」である。そして、ΔＴＡ−ΔＴＢが３℃（所定値）を超える場合は（ステップＳ３でＹｅｓ）、能力調整が必要と判断し、ΔＴＡ−ΔＴＢが１℃以下になっていない間は（ステップＳ６でＹｅｓ）、水量調整運転（詳細は後記）を行う（ステップＳ５）。ステップＳ６でＮｏの場合、ステップＳ７に進む。
また、ΔＴＡ−ΔＴＢが３℃以下の場合は（ステップＳ３でＮｏ）、２つの給湯ユニット３の必要能力差が小さいと判断し、そのまま通常運転に移行する（ステップＳ４）。
【００３３】
逆に、ΔＴｉ＜０℃（ステップＳ２で「ΔＴｉ＜０」）、すなわちＴｉＡの水温がＴｉＢの水温より低く、給湯ユニット３Ｂよりも給湯ユニット３Ａの方にガス冷媒の多くが移動すると判断される場合、ΔＴＢ−ΔＴＡを求め、ΔＴＢ−ΔＴＡが３℃を超える場合は（ステップＳ３でＹｅｓ）、ΔＴＢ−ΔＴＡが１℃以下になっていない間は（ステップＳ１０でＹｅｓ）、水量調整運転を行う（ステップＳ９）。
また、ΔＴＢ−ΔＴＡが３℃以下の場合は（ステップＳ８でＮｏ）、そのまま通常運転に移行する（ステップＳ４）。
【００３４】
この運転制御は、運転する給湯ユニット３が１つ以下になった段階（ステップＳ７でＹｅｓ）で終了する。ステップＳ７でＮｏの場合、ステップＳ２に戻る。
【００３５】
下記の表１に基づき、一例で説明すると、ΔＴｉ＝４０―３０＝１０℃＞０℃（ステップＳ２で「ΔＴｉ＞０」）、かつ、ΔＴＡ−ΔＴＢ＝１０−５＝５℃＞３℃（ステップＳ３でＹｅｓ）のため、水量調整運転を実施（ステップＳ５）することになる。
【００３６】
【表１】
2016211828.tif 000003
【００３７】
水量調整運転の方法の４つの具体例について、以下、給湯ユニット３Ａの入口水温が給湯ユニット３Ｂの入口水温より低く、給湯ユニット３Ａのほうの水量を減らす場合を例にとって説明する。
【００３８】
第１の具体例は、給湯ユニット３Ａに搭載されている水ポンプ２５Ａを一定時間（例えば３分毎）間欠運転させ、給湯ユニット３Ｂに搭載されている水ポンプ２５Ｂは連続運転をさせることである。これにより、水量の調整を行うことが可能となる。
【００３９】
第２の具体例は、水ポンプ２５Ａおよび水ポンプ２５Ｂの回転速度を変化させることが可能なインバータ駆動装置（図１で不図示）を有することにより、水ポンプ２５Ａの回転速度を例えば６０ｒｐｍから３０ｒｐｍに下げ、水ポンプ２５Ｂの回転速度を例えば６０ｒｐｍのままにして吐出し量に差をつけることである。これにより、水量の調整を行うことが可能となる。
【００４０】
第３の具体例は、水ポンプ２５Ａおよび水ポンプ２５Ｂの後流側に絞り機能を有した流量調整弁（図１で不図示）を配置させることにより、水ポンプ２５Ａ側の流量調整弁の開度を絞って水量を減らし、水ポンプ２５Ｂの流量調整弁の開度は変化させないことである。これにより、水量の調整を行うことが可能となる。
【００４１】
第４の具体例は、水ポンプ２５Ａの運転を一定時間（例えば１０分間）停止させ、水ポンプ２５Ｂは連続運転させることである。これにより、水量の調整を行うことが可能となる。
【００４２】
このように、本実施形態の空調給湯システム１００によれば、２つの給湯ユニット３が同時に運転された際に、２つの給湯ユニット３それぞれの水の流入温度が異なる場合でも、２つの給湯ユニット３それぞれの給湯能力をバランスよく制御することができる。
【００４３】
以上で実施形態の説明を終えるが、本発明の態様はこれらに限定されるものではない。例えば、「第２冷媒」は、水に限定されず、ブライン（熱媒体）であってもよい。
また、水量調整運転は、２つの給湯ユニット３のうちの一方の水量を減らすだけでなく、他方の水量を増やすようにしてもよい。
【００４４】
また、給湯ユニット３の配下に設けられるのは、床暖房システム４に限定されず、コンベクターなどであってもよい。
また、給湯ユニット３は３つ以上であってもよい。その場合、例えば、流入温度の一番低い給湯ユニット３の水量だけを減らしてもよいし、あるいは、流入温度の一番高い給湯ユニット３以外のすべての給湯ユニット３の水量を、流入温度が低いものほど大きく減らすように制御してもよい。
その他、具体的な構成について、本発明の主旨を逸脱しない範囲で適宜変更が可能である。
【符号の説明】
【００４５】
１…室外ユニット
２…室内ユニット
３…給湯ユニット
４…床暖房システム
５…圧縮機
６…アキュームレータ
７…四方弁
８…室外熱交換器
９…室外ファン
１０…室外膨張弁
１１…第１電磁弁
１２…第２電磁弁
１３…室外吸込温度センサ
１４…吐出ガス阻止弁
１５…ガス阻止弁
１６…液阻止弁
１７…室内ファン
１８…室内膨張弁
１９…室内熱交換器
２０…室内ユニット吸込温度センサ
２１…室内ユニット吹出温度センサ
２２…給湯ユニット膨張弁
２３…給湯ユニット熱交換器
２４…給湯ユニット電気ヒータ
２５…水ポンプ（冷媒ポンプ）
２６…出口水温センサ
２７…入口水温センサ
２８…床暖房パイプ
２９…床暖房温度センサ
３０…吐出ガス配管
３１…ガス配管
３２…液配管
３３…室温センサ
３４…水配管
３５…マイクロコンピュータ（マイコン、制御装置、第２冷媒流入量調整手段）
１００…空調給湯システム（給湯システム）
【図１】
2016211828.tif 000004
【図２】
2016211828.tif 000005
【図３】
2016211828.tif 000006
【図４】
2016211828.tif 000007